(57)【特許請求の範囲】
【請求項１】
第１チャンネル収音用の単一指向性マイクロホンユニットを収容した第１ユニット装着ケースと、第２チャンネル収音用の単一指向性マイクロホンユニットを収容した第２ユニット装着ケースと、を備え、
前記第１ユニット装着ケースおよび第２ユニット装着ケースは、バウンダリープレートの上面にそれぞれ隣接させて配置され 、
前記第１ユニット装着ケースおよび第２ユニット装着ケースは、前記バウンダリープレートの面に平行する一つの軸線上においてそれぞれ軸回転されることで、前記第１チャンネルおよび第２チャンネル収音用マイクロホンユニットに形成された前面音導孔の仰角が変更できるように配置され、
かつ前記第１チャンネル収音用マイクロホンユニットの背面音導孔に連通する第１ユニット装着ケースに形成された側面開口と、前記第２チャンネル収音用マイクロホンユニットの背面音導孔に連通する第２ユニット装着ケースに形成された側面開口とが、バウンダリープレートの面に平行する前記一つの軸線方向の両外側に向かって、それぞれ形成されていることを特徴とするステレオバウンダリーマイクロホン。
【請求項２】
前記第１チャンネル収音用のマイクロホンユニットおよび第２チャンネル収音用のマイクロホンユニットにおける前面音導孔の仰角が、それぞれ独立して変更可能に構成されていることを特徴とする請求項１に記載のステレオバウンダリーマイクロホン。
【請求項３】
前記第１ユニット装着ケースおよび第２ユニット装着ケースは、側面が円筒状に形成されて、周側面の一部に前記マイクロホンユニットの前面音導孔を露出させる収音開口がそれぞれ形成され、前記ユニット装着ケースの端面の一方は閉塞され、前記ユニット装着ケースの他方の端面に、前記側面開口がそれぞれ形成されていることを特徴とする請求項１または請求項２に記載のステレオバウンダリーマイクロホン。
【請求項４】
前記第１チャンネル収音用の単一指向性マイクロホンユニットおよび第２チャンネル収音用の単一指向性マイクロホンユニットは、それぞれコンデンサマイクロホンユニットにより構成されていることを特徴とする請求項１ないし請求項３のいずれか１項に記載のステレオバウンダリーマイクロホン。
【発明の詳細な説明】
【技術分野】
【０００１】
この発明は、バウンダリープレート上に配置される左右のマイクロホンにおける収音軸の仰角が可変できるようにしたステレオバウンダリーマイクロホンに関する。
【背景技術】
【０００２】
バウンダリーマイクロホン（面上収音式マイクロホン）は、会議の席やテレビスタジオなどにおいて用いられることが多い。
このバウンダリーマイクロホンは会議の席などにおいては机上面に配置して使用され、またテレビスタジオなどにおいては、主に床面に配置して使用される。
【０００３】
前記したバウンダリーマイクロホンは、例えば特許文献１および２に開示されているように、バウンダリープレートと、このバウンダリープレート上に載置されたマイクロホンとにより構成される。
この場合、マイクロホンはバウンダリープレートに接近して配置されるので、マイクロホンには直接音とバウンダリープレートによる反射音が到来する。しかしながら、マイクロホンに到来する直接音と、バウンダリープレートによる反射音との時間差（位相差）は殆どなく、これによりマイクロホンより明瞭度の高い音声信号を効率良く得ることができる。
【先行技術文献】
【特許文献】
【０００４】
【特許文献１】特開平８−６５７８６号公報
【特許文献２】特表２０１３−５２７９９５号公報
【０００５】
前記したバウンダリーマイクロホンは、単一指向性マイクロホンの収音軸が、例えばバウンダリープレートの上面と平行となるように固定されて取り付けられる場合が多い。
したがって、音源がバウンダリーマイクロホンの収音軸から外れている時には、良好な音質で収音することが困難になる。
すなわち、このバウンダリーマイクロホンを例えば会議の席などで利用した場合、机上に置かれたバウンダリーマイクロホンに向かった話者が、着席した状態と立ち上がった状態とでは、周波数応答特性が大きく異なる問題が発生する。
【０００６】
そこで、単一指向性マイクロホンユニットにおける収音軸の仰角が可変できるように、前記マイクロホンユニットをバウンダリープレート上に取り付ける構成を採用することが考えられる。この構成によると、マイクロホンユニットの収音軸を適宜音源方向に向くように仰角の設定をすることができるので、収音軸のずれによる周波数応答特性の悪化を防止することができる。
【０００７】
ところで、バウンダリープレート上に配置されたマイクロホンユニットについて、その収音軸を可変する操作がなされると、以下の理由によりマイクロホンユニットの指向特性が変化するという問題が招来される。
すなわち、図４Ａ〜図４Ｃはバウンダリーマイクロホンとして利用される単一指向性エレクトレットコンデンサマイクロホンユニット１の外観構成を示したものであり、それぞれマイクロホンユニット１を正面図、側面図、背面図を示している。
【０００８】
この単一指向性エレクトレットコンデンサマイクロホンユニット１は、図に示されているとおり、例えばアルミニウム素材による円筒状のユニットケース２が外郭を構成し、ユニットケース２の前面壁には、図４Ａに示すようにマイクロホンユニット１の前部音響端子が形成される複数の前面音導孔３が形成されている。
【０００９】
図示していないが前記ユニットケース２内には周知のとおり、振動板とこの振動板の背面に対峙する固定極等が配置され、前記複数の前面音導孔３に導入される音波が、前記振動板を振動させることになる。
そして、ユニットケース２の背面側には、図４Ｃに示すようにインピーダンス変換器として機能するＦＥＴ等が搭載された回路基板４が、ユニットケース２を封止するようにして取り付けられている。
また、前記回路基板４には振動板の背面に連通して、ユニットケース２の背面に後部音響端子を形成する複数の背面音導孔５が施されている。
【００１０】
なお、前記した音響端子とは、マイクロホンユニット１に対して実効的に音圧を与える空気の位置を指す。換言すれば音響端子とは、マイクロホンユニット１が備える振動板と同時に動く空気の中心位置である。前記マイクロホンユニット１は単一指向性であるために、音響端子は振動板の前部および後部に存在することになる。
【００１１】
図５Ａと図５Ｂはバウンダリーマイクロホンの技術的な問題点を説明するものである。
すなわち、前記した単一指向性のマイクロホンユニット１は、図５Ａに模式的に示したように、バウンダリープレート２０上に配置されることで、バウンダリーマイクロホンが構成される。そしてマイクロホンユニット１は、その収音軸Ｄがバウンダリープレート２０の上面と平行となる仰角が０度の状態から、鉛直方向の９０度となる範囲で可変できるように適宜の手段でバウンダリープレート２０上に取り付けられる。
【００１２】
図５Ｂは、マイクロホンユニット１の収音軸Ｄの仰角が４５度程度に設定された様子を示している。この状態によると図５Ａに示した収音軸Ｄの仰角が０度の状態と比較すると、マイクロホンユニット１の後部音響端子がバウンダリープレート２０に接近し、後部音響端子側の空間がバウンダリープレート２０との間で狭められる。
また、収音軸Ｄの仰角がさらに大きく鉛直方向に向かって設定される場合には、後部音響端子側の空間はバウンダリープレート２０との間でさらに狭められることになる。
【００１３】
したがって、マイクロホンユニット１の収音軸Ｄの前記した仰角の変化に伴い、後部音響端子側への信号波の供給に制限が加わることになる。このために、マイクロホンユニットは単一指向性から無指向性に近い特性に変化し、顕著な場合にはハウリングを引き起こすなどの問題に発展することになる。
【００１４】
そこで、本件出願人は収音軸Ｄの仰角の変化に対して、後部音響端子に影響を与えない構成のバウンダリーマイクロホンについて先に提案をしており、これは特願２０１４−１５９３７２として特許出願をしている。
【００１５】
図６は、その基本構成を示したものであり、軸方向に貫通する中空部１３を備えた円筒体状のユニット装着部材１１の周側面に、ユニット装着凹部１２が形成されている。このユニット装着凹部１２内に、図４Ａ〜図４Ｃに示した単一指向性マイクロホンユニット１が装着され、マイクロホンユニット１の背面音導孔５は、前記中空部１３に連通されている。この構成によると単一指向性マイクロホンユニット１の後部音響端子は、ユニット装着部材１１に形成された前記中空部１３の左右の開口付近にそれぞれ形成される。
【００１６】
前記した円筒状のユニット装着部材１１を、バウンダリープレート上に軸回転が可能となるように取り付けることで、マイクロホンユニット１の収音軸Ｄの仰角を変えることができる。
しかも、図６に示す構成によると、前記したユニット装着部材１１を軸回転させても、マイクロホンユニット１の後部音響端子とバウンダリープレート２０との間で、物理的な変化はないので、指向特性に影響を与えないバウンダリーマイクロホンを提供することができるものとなる。
【発明の概要】
【発明が解決しようとする課題】
【００１７】
ところで、本件出願人が先に提案したバウンダリーマイクロホンは、モノラル仕様として考慮したものであり、このバウンダリーマイクロホンを用いて楽音を収音する時には、ステレオ収音を求められることが多い。
【００１８】
そこで、ステレオ収音のために２台のバウンダリーマイクロホンを使用すると、バウンダリープレートにはある程度の面積があることから、左右のマイクロホンの間隔は離れた状態で配置せざるを得ないことになる。
このように、左右のマイクロホンに間隔がある時には、音速に依存する時間差で、周波数応答が平坦ではなくなるという技術的な問題が招来される。したがって、左右の単一指向性マイクロホンユニットは間隔が狭い状態で、すなわち一つのバウンダリープレート上に接近して配置されることが望ましい。
【００１９】
この発明は、前記した技術的な観点に基づいてなされたものであり、収音軸の仰角を変えた場合において、マイクロホンユニットの後部音響端子とバウンダリープレートとの間の物理的な変化を抑え、マイクロホンユニットの指向特性（収音特性）の変化を抑えることができるステレオバウンダリーマイクロホンを提供しようとするものである。
加えてこの発明は、左右の単一指向性マイクロホンユニットを一つのバウンダリープレート上に接近した状態で配置すると共に、互いの収音軸が左右方向に適切な開き角度を持って形成されるステレオバウンダリーマイクロホンを提供することを課題とするものである。
【課題を解決するための手段】
【００２０】
前記した課題を解決するためになされたこの発明に係るステレオバウンダリーマイクロホンは、第１チャンネル収音用の単一指向性マイクロホンユニットを収容した第１ユニット装着ケースと、第２チャンネル収音用の単一指向性マイクロホンユニットを収容した第２ユニット装着ケースと、を備え、前記第１ユニット装着ケースおよび第２ユニット装着ケースは、バウンダリープレートの上面にそれぞれ隣接させて配置され、前記第１ユニット装着ケースおよび第２ユニット装着ケースは、前記バウンダリープレートの面に平行する一つの軸線上においてそれぞれ軸回転されることで、前記第１チャンネルおよび第２チャンネル収音用マイクロホンユニットに形成された前面音導孔の仰角が変更できるように配置され、かつ前記第１チャンネル収音用マイクロホンユニットの背面音導孔に連通する第１ユニット装着ケースに形成された側面開口と、前記第２チャンネル収音用マイクロホンユニットの背面音導孔に連通する第２ユニット装着ケースに形成された側面開口とが、バウンダリープレートの面に平行する前記一つの軸線方向の両外側に向かって、それぞれ形成されていることを特徴とする。
【００２１】
この場合、前記第１チャンネル収音用のマイクロホンユニットおよび第２チャンネル収音用のマイクロホンユニットにおける前面音導孔の仰角が、それぞれ独立して変更可能に構成されていることが望ましい。
【００２２】
また好ましい形態においては、前記第１ユニット装着ケースおよび第２ユニット装着ケースは、側面が円筒状に形成されて、周側面の一部に前記マイクロホンユニットの前面音導孔を露出させる収音開口がそれぞれ形成され、前記ユニット装着ケースの端面の一方は閉塞され、前記ユニット装着ケースの他方の端面に、前記側面開口がそれぞれ形成された構成が採用される。
【００２３】
加えて、前記第１チャンネル収音用の単一指向性マイクロホンユニットおよび第２チャンネル収音用の単一指向性マイクロホンユニットには、それぞれコンデンサマイクロホンユニットを好適に用いることができる。
【発明の効果】
【００２４】
前記した構成のステレオバウンダリーマイクロホンによると、第１ユニット装着ケースおよび第２ユニット装着ケースを軸回転させることで、各ユニット装着ケースに収容されたそれぞれの単一指向性マイクロホンユニットの収音軸の仰角を変更することができる。
この場合、各ユニット装着ケースに形成された各側面開口が、バウンダリープレートの面に平行する一つの軸線方向の両外側に向かってそれぞれ形成されているので、たとえ収音軸の仰角を変更しても、前記各マイクロホンユニットの後部音響端子とバウンダリープレートとの間の物理的な変化はなく、これにより各マイクロホンユニットの指向特性が変化するのを抑えることができる。
【００２５】
また前記した構成により、各マイクロホンユニットには、後部音響端子と前部音響端子とを結ぶ線上に収音軸が形成されることになり、これにより互いの収音軸が左右方向に適切な開き角度を持って形成されたステレオバウンダリーマイクロホンを提供することができる。
【図面の簡単な説明】
【００２６】
【図１】ユニット装着ケースを破断して示したこの発明に係るステレオバウンダリーマイクロホンの上面図である。
【図２】同じくユニット装着ケースを破断して示した側面図である。
【図３】ユニット装着ケースを回動可能に支持する例を示した模式図である。
【図４Ａ】バウンダリーマイクロホンに用いられるマイクロホンユニットの例を示した正面図である。
【図４Ｂ】同じく側面図である。
【図４Ｃ】同じく背面図である。
【図５Ａ】従来のバウンダリーマイクロホンの基本構成を示した側面図である。
【図５Ｂ】同じく収音軸を変化させた例を示した側面図である。
【図６】ユニット装着ケースにマイクロホンユニットを収容した状態を示す斜視図である。
【発明を実施するための形態】
【００２７】
この発明に係るステレオバウンダリーマイクロホンについて、図に示す実施の形態に基づいて説明する。図１および図２は、それぞれにマイクロホンユニットを収容したユニット装着ケースを断面図で示している。すなわち、図１に示すユニット装着ケースは、図２に示すａ−ａ線より矢印方向に見た状態の断面図であり、図２に示すユニット装着ケースは、図１に示すｂ−ｂ線より矢印方向に見た状態の断面図である。
【００２８】
このステレオバウンダリーマイクロホンに用いられる単一指向性マイクロホンユニット１は、先に図４Ａ〜図４Ｃに基づいて説明した単一指向性エレクトレットコンデンサマイクロホンユニット１が利用されており、したがってその詳細な説明は省略する。
そして以下においては、第１チャンネルを左（Ｌ）チャンネルと呼び、第２チャンネルを右（Ｒ）チャンネルと呼ぶこともあり、それぞれの各符号の末尾に前記“Ｌ”および“Ｒ”を付けて識別することにする。
【００２９】
図１および図２に示すように左チャンネル収音用の単一指向性マイクロホンユニット１Ｌを収容した第１ユニット装着ケース２１Ｌと、右チャンネル収音用の単一指向性マイクロホンユニット１Ｒを収容した第２ユニット装着ケース２１Ｒとは、それぞれバウンダリープレート２０の上面に隣接して配置されている。
前記各ユニット装着ケース２１Ｌ，２１Ｒは、図２に示されているように、側面が円筒状に形成されており、その周側面の一部に前記各マイクロホンユニット１Ｌ，ＩＲが収容され、当該マイクロホンユニット１Ｌ，ＩＲの前面音導孔３が露出される収音開口２２Ｌ，２２Ｒがそれぞれ形成されている。
【００３０】
また、前記ユニット装着ケース２１Ｌ，２１Ｒの互いに隣接する側の端面には、壁面２３Ｌ，２３Ｒが形成されて閉塞されている。そして各ユニット装着ケース２１Ｌ，２１Ｒの他方の端面、すなわち隣接するユニット装着ケース２１Ｌ，２１Ｒの両外側には、壁面２４Ｌ，２４Ｒの一部を残して側面開口２５Ｌ，２５Ｒがそれぞれ形成されている。
これにより、各マイクロホンユニット１Ｌ，ＩＲのそれぞれの背面音導孔５（図４Ｃ参照）は、前記側面開口２５Ｌ，２５Ｒを介して、ユニット装着ケース２１Ｌ，２１Ｒの両外側に連通している。
【００３１】
前記した構成により左右のマイクロホンユニット１Ｌ，１Ｒによる前部音響端子は、ユニット装着ケース２１Ｌ，２１Ｒの収音開口２２Ｌ，２２Ｒの中央部付近に形成される。また、左右のマイクロホンユニット１Ｌ，１Ｒによる後部音響端子は、ユニット装着ケース２１Ｌ，２１Ｒの側面開口２５Ｌ，２５Ｒの中央部付近に形成される。
【００３２】
したがって、左チャンネル収音用マイクロホンユニット１Ｌによる水平方向の収音軸は、後部部音響端子と前部音響端子との結ぶ線である矢印ＤＬで示す方向に設定される。
また、右チャンネル収音用マイクロホンユニット１Ｒによる水平方向の収音軸は、後部部音響端子と前部音響端子との結ぶ線である矢印ＤＲで示す方向に設定される。
これにより互いの収音軸ＤＬ，ＤＲが左右方向に適切な開き角度を持って形成されたステレオバウンダリーマイクロホンを提供することができる。
【００３３】
一方、前記した円筒状の第１ユニット装着ケース２１Ｌおよび第２ユニット装着ケース２１Ｒは、前記バウンダリープレート２０の面に平行する一つの軸線Ａｘ上において、それぞれ軸回転されることで、前記左チャンネル収音用のマイクロホンユニット１Ｌに形成された前面音導孔３の仰角（収音軸ＤＬの仰角）、および右チャンネル収音用のマイクロホンユニット１Ｒに形成された前面音導孔３の仰角（収音軸ＤＲの仰角）が、個別に変更できるように構成されている。
なお図２は、右チャンネル収音用マイクロホンユニット１Ｒによる収音軸ＤＲが、バウンダリープレート２０の上面と平行となる状態を０度とした時、前記収音軸ＤＲの仰角θが、６０度程度に設定された状態を示している。
【００３４】
図３は、第１と第２のユニット装着ケース２１Ｌ，２１Ｒをバウンダリープレート２０上で回動可能に支持する支持具の一例を示したものであり、図３において前記支持具はハッチングを施した縦断面図で示している。
この支持具は、隣接する第１と第２のユニット装着ケース２１Ｌ，２１Ｒの間に配置される中央支持枠部材３１と、前記第１と第２のユニット装着ケース２１Ｌ，２１Ｒの軸方向の両側から、その周側面に沿って配置される一対のリング状の外側支持枠部材３２と、この一対の外側支持枠部材３２をバウンダリープレート２０上にそれぞれ固定するためのベースプレート３３により構成されている。
【００３５】
すなわち、第１と第２のユニット装着ケース２１Ｌ，２１Ｒの間に中央支持枠部材３１を介在させて、第１と第２のユニット装着ケース２１Ｌ，２１Ｒの両側より一対の外側支持枠部材３２で挟み込む。続いてベースプレート３３をバウンダリープレート２０上に固定することで、２つのユニット装着ケース２１Ｌ，２１Ｒをバウンダリープレート２１上に回動可能に取り付けることができる。
【００３６】
そして、図３に示すように第１と第２のユニット装着ケース２１Ｌ，２１Ｒの側面の一部にそれぞれロッド状のハンドル３４を取り付けることで、第１と第２のユニット装着ケース２１Ｌ，２１Ｒを軸回転させることができ、各ユニット装着ケースに取り付けられた左右のマイクロホンユニット１Ｌ，１Ｒにおける収音軸ＤＬ，ＤＲの仰角θを、個別に調整することができる。なお、第１と第２のユニット装着ケース２１Ｌ，２１Ｒを協働して軸回転させて、左右のマイクロホンユニット１Ｌ，１Ｒにおける収音軸ＤＬ，ＤＲの仰角θをそれぞれ同じ角度で調整するようにしてもよい。
【００３７】
以上のとおり、この発明に係るステレオバウンダリーマイクロホンによると、収音軸ＤＬ，ＤＲの仰角θを変更しても、指向特性に影響を与えることなく、かつ左右のマイクロホンユニットの互いの収音軸ＤＬ，ＤＲが左右方向に適切な開き角度を持って形成されるステレオバウンダリーマイクロホンを提供することが可能となる。
【符号の説明】
【００３８】
１Ｌ，１Ｒ      マイクロホンユニット
３              前面音導孔
５              背面音導孔
２０            バウンダリープレート
２１Ｌ，２１Ｒ  ユニット装着ケース
２２Ｌ，２２Ｒ  収音開口
２３Ｌ，２３Ｒ  壁面
２５Ｌ，２５Ｒ  側面開口
３１            中央支持枠部材
３２            外側支持枠部材
３３            ベースプレート
３４            ハンドル
Ａｘ            軸線
ＤＬ，ＤＲ      収音軸
【図１】
0006582970.tif 000002
【図２】
0006582970.tif 000003
【図３】
0006582970.tif 000004
【図４Ａ】
0006582970.tif 000005
【図４Ｂ】
0006582970.tif 000006
【図４Ｃ】
0006582970.tif 000007
【図５Ａ】
0006582970.tif 000008
【図５Ｂ】
0006582970.tif 000009
【図６】
0006582970.tif 000010